(57)【要約】【課題】  簡便なワンタッチの製函操作により形成され、対向する上縁辺全幅に渉る段差構造が蓋箱内部に一体に設けられる内壁段部付組立紙蓋を提供する。【解決手段】  矩形状又は正方形状の天板の両側部に側板、重合側板、段部当接板、段部支持板および貼着板、両端部に端板、重合端板および折り曲げ係止片をそれぞれ順次対称的に連設し、各側板と隣接する各端板との間に折込角部を設けたブランク板からなり、各折り曲げ係止片の端辺中央部から各重合端板に渉る横長略矩形の切欠部を穿設するとともに、切欠部のブランク板中央寄りの両角部から端板の両角隅に到る斜め折線を刻設し、各貼着板の両端部に係止用切欠部を設け、所定部分を貼着して折り畳みが可能で、各側板の起立と同時に各端板が起立し、各折り曲げ係止片が係止用切欠部に係合して形成される内壁段部付組立紙蓋。【選択図】        図４
2006273367.tif 000002
【特許請求の範囲】
【請求項１】
矩形状又は正方形状の天板の両側部に側板、重合側板、段部当接板、段部支持板および貼着板をそれぞれ順次対称的に連設するとともに、前記天板の両端部に端板、重合端板および折り曲げ係止片をそれぞれ順次対称的に連設し、前記各側板と隣接する各端板との間にそれぞれ折線で山折される二つの略三角形部分からなる折込角部を設けた紙蓋用ブランク板からなり、
前記各折り曲げ係止片の端辺中央部に該端辺から前記各重合端板に渉る横長略矩形の切欠部を穿設するとともに、前記切欠部のブランク板中央寄りの両角部から前記端板の両角隅に到る斜め折線を刻設し、前記各貼着板の両端部に前記各折り曲げ係止片が係合する係止用切欠部を設け、
前記各重合側板をこれに隣接する各側板に貼着し、前記各貼着板を天板の前記段部当接板の幅と略同じ間隔をあけた内側位置に貼着し、前記各折込角部の一方の略三角形部分をこれに隣接する各端板に貼着し、前記重合端板の端辺中央部の切欠近傍をこれに隣接する各端板中央部近傍に貼着してなり、
前記各側板を起立させたとき前記各端板が起立せしめられ、前記各折り曲げ係止片が係止用切欠部に係合することにより紙蓋が形成されるように構成したことを特徴とする内壁段部付組立紙蓋。
【発明の詳細な説明】
【技術分野】
【０００１】
本発明は、製品収納用の身箱と組み合わせて蓋箱として用いられ、ワンタッチで組立構成可能な内壁段部付組立紙蓋に関する。
【背景技術】
【０００２】
贈答用のハムや酒類などの商品を収納する進物箱は、通常、商品を収納する身箱と該身箱を被蓋する為の蓋箱とにより構成されており、身箱の深さと蓋箱の深さとをほぼ同じになるように形成し、収納される商品の高さを身箱の深さより小さくするようにしたものが一般的である。ところが、進物箱をこのような構成にすると、蓋箱を開けたとき内容物である商品が身箱内に沈んだ状態に見える為、収納商品がボリューム感に欠けたものとして見え、商品価値を減じるという難点があった。
そこで、内容物である商品のボリューム感を出す為に身箱の深さを浅くして、商品の露出度を上昇させ、販売の為の展示用に用いたり、前記身箱の上縁に係合するような別途の補強材を蓋箱の内面に挿入したものがある。しかし、別途の補強材を挿入するようにした場合、材料費が嵩むほか、蓋箱形成の組立作業が増加するという問題がある。
【０００３】
そこで、本出願人は上記従来技術の問題点を解消すべく、先に、身箱の上縁の対向する辺全幅に渉って接触して商品収納空間を形成保持する為の段差構造を蓋箱内部に一体に設け、且つ製函時の煩雑性を解消して製函効率を向上させるとともに、確実な製函をおこなうことのできる段部付ワンタッチ蓋函を提案している（例えば、特許文献１参照）。
前記段部付ワンタッチ蓋函は、各下部内面側板部がこれに隣接する各外面側板部に貼着され、各止板部が天板部の段部形成用板部の幅と略同じ間隔をあけた内側位置に貼着され、さらに、各コーナーウエブ部がこれに隣接する各外面端板部に貼着されているので、上記天板部の両側部の外面側板部、下部内面側板部、段部形成用板部、上部内面側板部および止板部よりなる部分を起立させると、その操作に連動して各段部形成用板部により段部が形成されるとともに、各外面端板部が起立し、そのあと下部内面側板部の両端の係止用切り込みに、内面端板部の両端の係止凸部が係合して組み立てられるものである。
【特許文献１】実開平３−９３４１７号公報
【０００４】
しかしながら、前述の段部付ワンタッチ蓋函においては、天板の両側部の外面側板部、下部内面側板部、段部形成用板部、上部内面側板部および止板部よりなる部分の起立操作と、貼着されている外面端板部の起立動作は連動しているものの、前記外面端板部に隣接する内面端板部は連動しておらず、折り込み並びに係止操作を必要とするもので、未だ製函時の煩雑性を解消したものではなかった。
【発明の開示】
【発明が解決しようとする課題】
【０００５】
本発明の目的は、上記問題を解決するためになしたものであって、保管及び搬送に於いては偏平に折畳みが出来、使用組立構成時に於いてはさらに簡便なワンタッチの製函操作による起立形成により、蓋箱と身箱との嵌合状態において、身箱の対向する上縁辺全幅に渉って接触し商品収納空間を形成保持する為の段差構造が蓋箱内部に一体に設けられた内壁段差付組立紙蓋を提供することにある。
【課題を解決するための手段】
【０００６】
上記課題を解決するため、請求項１の発明は、矩形状又は正方形状の天板の両側部に側板、重合側板、段部当接板、段部支持板および貼着板をそれぞれ順次対称的に連設するとともに、前記天板の両端部に端板、重合端板および折り曲げ係止片をそれぞれ順次対称的に連設し、前記各側板と隣接する各端板との間にそれぞれ折線で山折される二つの略三角形部分からなる折込角部を設けた紙蓋用ブランク板からなり、前記各折り曲げ係止片の端辺中央部に該端辺から前記各重合端板に渉る横長略矩形の切欠部を穿設するとともに、前記切欠部のブランク板中央寄りの両角部から前記端板の両角隅に到る斜め折線を刻設し、前記各貼着板の両端部に前記各折り曲げ係止片が係合する係止用切欠部を設け、前記各重合側板をこれに隣接する各側板に貼着し、前記各貼着板を天板の前記段部当接板の幅と略同じ間隔をあけた内側位置に貼着し、前記各折込角部の一方の略三角形部分をこれに隣接する各端板に貼着し、前記重合端板の端辺中央部の切欠近傍をこれに隣接する各端板中央部近傍に貼着してなり、前記各側板を起立させたとき前記各端板が起立せしめられ、前記各折り曲げ係止片が係止用切欠部に係合することにより紙蓋が形成されるように構成したことを特徴とする内壁段部付組立紙蓋である。
【発明の効果】
【０００７】
本発明の内壁段部付組立紙蓋は、上述のように構成されているので、身箱の対向する上縁辺全幅に渉って接触し商品収納空間を形成保持する為の段差構造が内部に一体に設けられた紙蓋を、簡便な操作で製函が可能で、製函時の煩雑性を解消して製函効率を向上させるという効果がある。
【０００８】
また、各端板に隣接する重合端板を予め内折して貼着したことにより、偏平に折り畳まれた状態は、従来技術に比べ小さな面積となるので、輸送や格納保管の省スペース化が可能であり、経済性にも優れている。さらに、使用後は簡便な操作で偏平な状態に再折畳みができ、廃棄容積を減じることが可能で廃棄性にも優れている
【発明を実施するための最良の形態】
【０００９】
上記本発明につき、図面等を用いて以下に詳述する。図１は本発明に係る内壁段部付組立紙蓋の実施例の展開平面図。図２は同じく実施例の折畳み貼着された状態を示す平面図。図３（Ａ）は同じく実施例の側板部分の折畳み状態を示す部分断面図。図３（Ｂ）は同じく実施例の紙蓋と身函との嵌合状態を示す部分断面図。図４は同じく実施例の組立完了状態を示す斜視図。図５は切欠部分の別展開例を示す部分展開平面図である。
【００１０】
図１は本発明に係る内壁段部付組立紙蓋の実施例の展開平面図で、本実施例において、ブランク板１は、天板２と、該天板２の両側部にそれぞれ順次対称的に連設された側板３、３、重合側板４、４、段部当接板５、５、段部支持板６、６および貼着板７、７を有し、また、前記天板２の両端部にそれぞれ順次対称的に連設された端板８、８、重合端板９、９および折り曲げ係止片１０、１０を有しており、前記各側板３、３と各端板８、８との間の隅角部には、それぞれ中央部が折線ｂ、ｂ、ｂ、ｂを境界線として山折りされるように構成された二つの三角形部分からなる折込角部１１、１１、１１、１１が設けられており、また、前記重合端板９、９の両側部は中央部から先端側が段部切欠１３、１３、１３、１３が穿設され、前記折り曲げ係止片１０、１０の両側部は前記段部切欠１３、１３、１３、１３の端縁より僅かに突出して掛止突起１４、１４、１４、１４が形成されている。さらに、前記折り曲げ係止片１０、１０の端辺中央部に、該端辺から前記各重合端板９、９に渉る横長略矩形の切欠１２、１２が穿設され、前記切欠１２、１２のブランク板中央寄りの両角部から前記端板８、８の両角隅に到る斜め折線ａ、ａ、ａ、ａを刻設し、前記貼着板７、７の両端部に前記折り曲げ係止片１０、１０が係合する係止用切欠１５、１５、１５、１５が穿設されている。尚、前記天板２、側板３、３、各重合側板４、４、各段部当接板５、５、段部支持板６、６、貼着板７、７、端板８、８、重合端板９、９および折込角部１１、１１、１１、１１との境界部は、それぞれ折線の刻設によって区画されている。さらに、前記斜め折線ａ、ａ、ａ、ａ、折線ｂ、ｂ、ｂ、ｂおよび前記段部当接板５、５の両側の折線、前記段部支持板６、６と貼着板７、７との間の折線は、それぞれ折り曲げやすくするために破断状の切線が刻設されている。
【００１１】
前記構成のブランク板１において、重合側板４、４、貼着板７、７、折込角部１１、１１、１１、１１のそれぞれ端板８、８寄り三角形部分および重合端板９、９の端縁側中央部の切欠１２、１２近傍部分に接着剤を塗布し、折線を用いて、図３（Ａ）に示すように、前記重合側板４、４をそれぞれ隣接する側板３、３に側板貼着部ｃ、ｃで重合貼着するとともに、段部当接板５、５、段部支持板６、６、貼着板７、７をそれぞれ順次、谷折り、山折り、谷折りにして、貼着板７、７の貼着部ｄ、ｄを段部当接板５、５の幅分だけ天板２の内方寄りとなるように天板２に貼着するとともに、前記折込角部１１、１１、１１、１１の折込角部貼着部ｅ、ｅ、ｅ、ｅを隣接する端板８、８に貼着し、さらに前記重合端板９、９の端板貼着部ｆ、ｆをそれぞれ隣接する端板８、８に貼着して、図２に示すように、実施例の折畳み貼着された偏平な状態となる。尚、前記端板貼着部ｆ、ｆの位置は、図５、切欠部分の別展開例を示す部分展開平面図のように、重合端板５９及び折り曲げ係止片６０の端辺中央部に穿設された切欠６２に突設部６３を設けて、組立完了時に底板５２寄りの位置とすることもでき、これによって紙函内側に穿設された切欠部分を小さくし、内側面の体裁を良くすることも可能である。
【００１２】
本実施例の組み立てにあたっては、前述のように折り畳まれ貼着された偏平な状態から、天板２の両側部の側板３、３、重合側板４、４、段部当接板５、５、段部支持板６、６および貼着板７、７よりなる部分を起立させると、前記操作に連動して、端板８、８および貼着された重合端板９、９からなる部分が起立し、前記側板３、３、重合側板４、４および端板８、８、重合端板９、９がそれぞれ天板２に対して垂直状態となるとともに、段部支持板６、６も前記側板３、３、重合側板４、４と平行に天板２に対して垂直状態となり、段部当接板５、５は天板２に対し平行状態となって段部が形成される。この状態から前記重合端板９、９両側を端板８、８に当接させる方向に操作するとともに、折り曲げ係止片１０、１０を貼着板両端の係止用切欠１５、１５、１５、１５に係合し、且つ折り曲げ係止片１０、１０の両端に突設した掛止突起１４、１４、１４、１４が、前記天板２と前記係止用切欠１５、１５、１５、１５で形成される間隙に掛止められることにより、図４に示すように、内側に段部を有する紙蓋の製函が完了する。
【００１３】
図３（Ｂ）は、紙蓋と身函との嵌合状態を示す部分断面図で、前述のように組み立てられた紙蓋２１の段部支持板６と段部当接板５とにより形成された段部が、身函２２の上縁部２３に当接することによって支持され、内部に物品を収納した蓋身函として使用されるのが常態である。
【図面の簡単な説明】
【００１４】
【図１】本発明に係る内壁段部付組立紙蓋の実施例の展開平面図。
【図２】同じく実施例の折畳み貼着された状態を示す平面図。
【図３】（Ａ）同じく実施例の側板部分の折畳み状態を示す部分断面図。                （Ｂ）同じく実施例の紙蓋と身函との嵌合状態を示す部分断面図。
【図４】同じく実施例の組立完了状態を示す斜視図。
【図５】切欠部分の別展開例を示す部分展開平面図。
【符号の説明】
【００１５】
１            ブランク板
２            天板
３            側板
４            重合側板
５            段部当接板
６            段部支持板
７            貼着板
８            端板
９            重合端板
１０            折り曲げ係止片
１１            折込角部
１２            切欠
１３            段部切欠
１４            掛止突起
１５            係止用切欠
２１            組み立てられた紙蓋
２２            身函
２３            上縁部
ａ            斜め折線
ｂ            折線
ｃ            側板貼着部
ｄ            貼着部
ｅ            折込角部貼着部
ｆ            端板貼着部
【図１】
2006273367.tif 000003
【図２】
2006273367.tif 000004
【図３】
2006273367.tif 000005
【図４】
2006273367.tif 000006
【図５】
2006273367.tif 000007